(57)【特許請求の範囲】
【請求項１】
被写体を撮影するための電子カメラであって、撮影光学系により撮影画面内の被写体を撮影し、画像データを生成する撮像手段と、前記被写体側の電子機器との間で交信を行うことにより、前記画像データをアップロードする画像サーバの通信ネットワーク上の宛先情報と前記画像データの識別情報を前記電子機器との間で伝送する第１通信手段と、前記宛先情報と前記識別情報に基づき前記画像データを通信ネットワーク上の前記画像サーバにアップロードする第２通信手段とを備えることを特徴とする電子カメラ。
【請求項２】
請求項１に記載の電子カメラにおいて、前記撮像手段による被写体の撮影時に、前記第１通信手段は前記被写体側の電子機器と前記交信を行うことを特徴とする電子カメラ。
【請求項３】
請求項２に記載の電子カメラにおいて、前記電子カメラは前記撮像手段により被写体を連続して撮影する連写モードを備え、該連写モードによる連続撮影中は前記第１通信手段による前記被写体側の電子機器と前記交信を行うことを禁止する禁止手段を備えることを特徴とする電子カメラ。
【請求項４】
電子カメラにより画像データを撮影される被写体側の電子機器であって、前記電子カメラとの間で交信を行うことにより、前記電子カメラが前記画像データをアップロードする画像サーバの通信ネットワーク上の宛先情報と前記画像データの識別情報を前記電子カメラとの間で伝送する第３通信手段と、前記宛先情報と前記識別情報に基づき前記画像データを通信ネットワーク上の前記画像サーバからダウンロードする第４通信手段とを備えることを特徴とする電子機器。
【請求項５】
被写体を撮影するための電子カメラであって、撮影光学系により撮影画面内の被写体を撮影し、画像データを生成する撮像手段と、前記被写体側の電子機器との間で交信を行うことにより、前記画像データをアップロードする画像サーバの通信ネットワーク上の宛先情報と前記画像データの識別情報を前記電子機器との間で伝送する第１通信手段と、前記宛先情報と前記識別情報に基づき前記画像データを通信ネットワーク上の前記画像サーバにアップロードする第２通信手段とを備える電子カメラと、前記電子カメラにより画像データを撮影される被写体側の電子機器であって、前記電子カメラとの間で交信を行うことにより、前記電子カメラが前記画像データをアップロードする前記画像サーバの通信ネットワーク上の宛先情報と前記画像データの識別情報を前記電子カメラとの間で伝送する第３通信手段と、前記宛先情報と前記識別情報に基づき前記画像データを通信ネットワーク上の前記画像サーバからダウンロードする第４通信手段とを備える電子機器と、前記通信ネットワーク上に設置された画像サーバであって、前記電子カメラからアップロードされた前記画像データを前記識別情報に対応付けて保存するとともに、前記電子機器により識別情報で指定された画像データを前記電子機器にダウンロードする画像サーバとから構成されることを特徴とする画像伝送システム。
【請求項６】
請求項５に記載の画像伝送システムにおいて、前記電子カメラの第１通信手段と前記電子機器の第３通信手段の間で行われる交信の際、前記画像サーバの通信ネットワーク上の宛先情報と前記画像データの識別情報が前記電子カメラから前記電子機器に伝送されることを特徴とする画像伝送システム。
【請求項７】
請求項５に記載の画像伝送システムにおいて、前記電子カメラの第１通信手段と前記電子機器の第３通信手段の間で行われる交信の際、前記画像サーバの通信ネットワーク上の宛先情報と前記画像データの識別情報が前記電子機器から前記電子カメラに伝送されることを特徴とする画像伝送システム。
【請求項８】
請求項５に記載の画像伝送システムにおいて、前記電子カメラの第１通信手段と前記電子機器の第３通信手段の間で行われる交信の際、前記画像サーバの通信ネットワーク上の宛先情報が前記電子機器から前記電子カメラに伝送されるとともに、前記画像データの識別情報が前記電子カメラから前記電子機器に伝送されることを特徴とする画像伝送システム。
【請求項９】
請求項５に記載の画像伝送システムにおいて、前記電子カメラの第１通信手段と前記電子機器の第３通信手段の間で行われる交信の際、前記画像サーバの通信ネットワーク上の宛先情報が前記電子カメラから前記電子機器に伝送されるとともに、前記画像データの識別情報が前記電子機器から前記電子カメラに伝送されることを特徴とする画像伝送システム。
【請求項１０】
被写体を撮影するための電子カメラであって、撮影光学系により撮影画面内の被写体を撮影し、画像データを生成する撮像手段と、前記被写体側の電子機器との間で交信を行うことにより、前記画像データをアップロードする画像サーバの通信ネットワーク上の宛先情報を前記電子機器との間で伝送する第１通信手段と、前記宛先情報に基づき前記画像データを通信ネットワーク上の前記画像サーバにアップロードする第２通信手段とを備える電子カメラと、前記電子カメラにより画像データを撮影される被写体側の電子機器であって、前記電子カメラとの間で交信を行うことにより、前記電子カメラが前記画像データをアップロードする前記画像サーバの通信ネットワーク上の宛先情報を前記電子カメラとの間で伝送する第３通信手段と、前記宛先情報に基づき通信ネットワーク上の前記画像サーバに接続し、前記画像サーバから前記画像データをダウンロードする第４通信手段とを備える電子機器と、前記通信ネットワーク上に設置された画像サーバであって、前記電子カメラからアップロードされた前記画像データを保存するとともに、前記電子機器からの要求に基づき前記画像データを前記電子機器にダウンロードする画像サーバとから構成されることを特徴とする画像伝送システム。
【請求項１１】
請求項１０に記載の画像伝送システムにおいて、前記電子カメラの第１通信手段と前記電子機器の第３通信手段の間で行われる交信の際、前記画像サーバの通信ネットワーク上の宛先情報が前記電子カメラから前記電子機器に伝送されることを特徴とする画像伝送システム。
【請求項１２】
請求項１０に記載の画像伝送システムにおいて、前記電子カメラの第１通信手段と前記電子機器の第３通信手段の間で行われる交信の際、前記画像サーバの通信ネットワーク上の宛先情報が前記電子機器から前記電子カメラに伝送されることを特徴とする画像伝送システム。
【請求項１３】
被写体を撮影するための電子カメラであって、撮影光学系により撮影画面内の被写体を撮影し、画像データを生成する撮像手段と、前記被写体側の電子機器との間で交信を行うことにより、前記画像データをアップロードする画像サーバの通信ネットワーク上の宛先情報と前記電子機器の識別情報を前記電子機器との間で伝送する第１通信手段と、前記宛先情報に基づき前記画像データと前記電子機器の識別情報を通信ネットワーク上の前記画像サーバにアップロードする第２通信手段とを備える電子カメラと、前記電子カメラにより画像データを撮影される被写体側の電子機器であって、前記電子カメラとの間で交信を行うことにより、前記電子カメラが前記画像データをアップロードする前記画像サーバの通信ネットワーク上の宛先情報と前記電子機器の識別情報を前記電子カメラとの間で伝送する第３通信手段と、前記宛先情報と前記電子機器の識別情報に基づき前記画像データを通信ネットワーク上の前記画像サーバからダウンロードする第４通信手段とを備える電子機器と、前記通信ネットワーク上に設置された画像サーバであって、前記電子カメラからアップロードされた前記画像データを前記電子機器の識別情報に対応付けて保存するとともに、前記画像サーバにアクセスしてきた電子機器の識別情報に対応した画像データを前記電子機器にダウンロードする画像サーバと、から構成されることを特徴とする画像伝送システム。
【請求項１４】
請求項１３に記載の画像伝送システムにおいて、前記電子カメラの第１通信手段と前記電子機器の第３通信手段の間で行われる交信の際、前記画像サーバの通信ネットワーク上の宛先情報と前記電子機器の識別情報が前記電子機器から前記電子カメラに伝送されることを特徴とする画像伝送システム。
【請求項１５】
請求項１３に記載の画像伝送システムにおいて、前記電子カメラの第１通信手段と前記電子機器の第３通信手段の間で行われる交信の際、前記画像サーバの通信ネットワーク上の宛先情報が前記電子カメラから前記電子機器に伝送されるとともに、前記電子機器の識別情報が前記電子機器から前記電子カメラに伝送されることを特徴とする画像伝送システム。
【請求項１６】
電子カメラにより画像データを撮影される被写体側の電子機器であって、前記電子カメラによる被写体の撮影時に、前記電子カメラとの間で交信を行うことにより、前記電子カメラに前記電子機器の識別情報を送信する第３通信手段と、前記画像データを通信ネットワーク上の前記画像サーバから受信する第４通信手段と、を備えることを特徴とする電子機器。  
【請求項１７】
請求項４または請求項１６に記載の電子機器において、前記電子カメラと交信を行った旨を表示する表示手段を備えることを特徴とする電子機器。  
【請求項１８】
被写体を撮影するための電子カメラであって、撮影光学系により撮影画面内の被写体を撮影し、画像データを生成する撮像手段と、前記被写体側の電子機器との間で交信を行うことにより、前記電子機器から通信ネットワーク上での前記電子機器の宛先情報を受信する第１通信手段と、前記画像データと前記電子機器の宛先情報を前記通信ネットワーク上の前記画像サーバにアップロードする第２通信手段とを備える電子カメラと、前記電子カメラにより画像データを撮影される被写体側の電子機器であって、前記電子カメラとの間で交信を行うことにより、前記電子カメラに前記通信ネットワーク上での前記電子機器の宛先情報を送信する第３通信手段と、前記画像データを通信ネットワーク上の前記画像サーバから受信する第４通信手段とを備える電子機器と前記通信ネットワーク上に設置された画像サーバであって、前記電子カメラからアップロードされた前記画像データを前記電子機器の宛先情報に対応した前記通信ネットワーク上の電子機器に送信する画像サーバと、から構成されることを特徴とする画像伝送システム。  
【請求項１９】
被写体を撮影するための電子カメラであって、撮影光学系により撮影画面内の被写体を撮影し、画像データを生成する撮像手段と、前記画像データをアップロードする画像サーバの通信ネットワーク上の宛先情報を固定記憶する第１記憶手段と、前記被写体側の電子機器との間で交信を行うことにより、前記画像データの識別情報を前記電子機器との間で伝送する第１通信手段と、前記第１記憶手段に固定記憶された前記宛先情報と前記識別情報に基づき前記画像データを通信ネットワーク上の前記画像サーバにアップロードする第２通信手段とを備える電子カメラと、前記電子カメラにより画像データを撮影される被写体側の電子機器であって、前記電子カメラが前記画像データをアップロードする前記画像サーバの通信ネットワーク上の宛先情報を固定記憶する第２記憶手段と、前記電子カメラとの間で交信を行うことにより、前記画像データの識別情報を前記電子カメラとの間で伝送する第３通信手段と、前記第２記憶手段に固定記憶された前記宛先情報と前記識別情報に基づき前記画像データを通信ネットワーク上の前記画像サーバからダウンロードする第４通信手段とを備える電子機器と、前記通信ネットワーク上に設置された画像サーバであって、前記電子カメラからアップロードされた前記画像データを前記識別情報に対応付けて保存するとともに、前記電子機器により識別情報で指定された画像データを前記電子機器にダウンロードする画像サーバとから構成されることを特徴とする画像伝送システム。  
【請求項２０】
請求項１９に記載の画像伝送システムにおいて、前記電子カメラの第１通信手段と前記電子機器の第３通信手段の間で行われる交信の際、前記画像データの識別情報が前記電子カメラから前記電子機器に伝送されることを特徴とする画像伝送システム。  
【請求項２１】
請求項２０に記載の画像伝送システムにおいて、前記電子カメラの第１通信手段と前記電子機器の第３通信手段の間で行われる交信の際、前記画像データの識別情報が前記電子機器から前記電子カメラに伝送されることを特徴とする画像伝送システム。  
【請求項２２】
被写体を撮影するための電子カメラであって、撮影光学系により撮影画面内の被写体を撮影し、画像データを生成する撮像手段と、前記画像データをアップロードする画像サーバの通信ネットワーク上の宛先情報を固定記憶する第１記憶手段と、前記被写体側の電子機器との間で交信を行うことにより、前記電子機器の識別情報を前記電子機器から受信する第１通信手段と、前記第１記憶手段に固定記憶された前記宛先情報に基づき前記画像データと前記電子機器の識別情報を通信ネットワーク上の前記画像サーバにアップロードする第２通信手段とを備える電子カメラと、前記電子カメラにより画像データを撮影される被写体側の電子機器であって、前記電子カメラが前記画像データをアップロードする前記画像サーバの通信ネットワーク上の宛先情報を固定記憶する第２記憶手段と、前記電子カメラとの間で交信を行うことにより、前記電子機器の識別情報を前記電子カメラに送信する第３通信手段と、前記第２記憶手段に固定記憶された前記宛先情報と前記識別情報に基づき前記画像データを通信ネットワーク上の前記画像サーバからダウンロードする第４通信手段とを備える電子機器と、前記通信ネットワーク上に設置された画像サーバであって、前記電子カメラからアップロードされた前記画像データを前記電子機器の識別情報に対応付けて保存するとともに、前記画像サーバにアクセスしてきた電子機器の識別情報に対応した画像データを前記電子機器にダウンロードする画像サーバとから構成されることを特徴とする画像伝送システム。  
【請求項２３】
撮影光学系により被写体を撮影して画像データを生成する撮像手段と、前記画像データと前記画像データの識別情報を通信ネットワーク上の画像サーバにアップロードする第２通信手段と、前記前記画像データをアップロードした画像サーバの通信ネットワーク上の宛先情報と前記画像データの識別情報を記憶する記憶手段と、前記画像サーバへの前記画像データと前記画像データの識別情報のアップロード後に前記電子機器との間で交信を行うことにより、前記記憶手段に記憶された前記画像データをアップロードした画像サーバの通信ネットワーク上の宛先情報と前記画像データの識別情報を前記電子機器に送信する第１通信手段とを備える電子カメラと、前記電子カメラとの間で交信を行うことにより、前記電子カメラが前記画像データをアップロードした前記画像サーバの通信ネットワーク上の宛先情報と前記画像データの識別情報を前記電子カメラから受信する第３通信手段と、前記宛先情報と前記識別情報に基づき前記画像データを通信ネットワーク上の前記画像サーバからダウンロードする第４通信手段とを備える電子機器と、前記通信ネットワーク上に設置された画像サーバであって、前記電子カメラからアップロードされた前記画像データを前記識別情報に対応付けて保存するとともに、前記電子機器により識別情報で指定された画像データを前記電子機器にダウンロードする画像サーバと、から構成されることを特徴とする画像伝送システム。  
【請求項２４】
撮影光学系により被写体を撮影し画像データを生成する撮像手段と、前記画像データの識別情報を記憶する記憶手段と、電子機器との間で交信を行うことにより通信ネットワーク上での前記電子機器の宛先情報を前記電子機器から受信する第１通信手段と、前記通信ネットワーク上の画像サーバに前記画像データと前記画像データの識別情報をアップロードするとともに、前記第１通信手段により前記電子機器よの宛先情報を受信した後に前記電子機器の宛先情報と前記画像データの識別情報を前記画像サーバに送信する第２通信手段とを備える電子カメラと、前記電子カメラとの間で交信を行うことにより前記電子機器の識別情報を前記電子カメラに送信する第３通信手段と、前記画像データを通信ネットワーク上の前記画像サーバから受信する第４通信手段とを備える電子機器と、前記通信ネットワーク上に設置された画像サーバであって、前記電子カメラからアップロードされた前記画像データを前記画像データの識別情報に対応付けて保存するとともに、前記電子カメラから受信した前記画像データの前記識別情報に対応した画像データを、前記電子カメラから受信した宛先情報に対応した電子機器に送信する画像サーバとから構成されることを特徴とする画像伝送システム。  
【請求項２５】
被写体を撮影するための電子カメラであって、撮影光学系により撮影画面内の被写体を撮影し、画像データを生成する撮像手段と、前記画像データを通信ネットワーク上の前記画像サーバにアップロードする第２通信手段とを備える電子カメラと、前記電子カメラとは別体であって、前記電子カメラによる被写体の撮影時に前記被写体側の電子機器との間で交信を行うことにより、前記電子機器の識別情報を前記電子機器から受信する第５通信手段と、前記電子機器の識別情報を通信ネットワーク上の前記画像サーバにアップロードする第６通信手段とを備える通信装置と、前記電子カメラにより画像データを撮影される被写体側の電子機器であって、被写体の撮影時に前記通信装置との間で交信を行うことにより、前記通信装置に前記電子機器の識別情報を送信する第３通信手段と、前記画像データを通信ネットワーク上の前記画像サーバから受信する第４通信手段とを備える電子機器と、前記通信ネットワーク上に設置された画像サーバであって、前記電子カメラからアップロードされた前記画像データを前記通信装置からアップロードされた前記電子機器の識別情報に対応した前記電子機器に送信する画像サーバとから構成されることを特徴とする画像伝送システム。  
【請求項２６】
被写体を撮影するための電子カメラであって、撮影光学系により撮影画面内の被写体を撮影し、画像データを生成する撮像手段と、前記画像データをアップロードする画像サーバの通信ネットワーク上の宛先情報を固定記憶する第１記憶手段と、前記第１記憶手段に固定記憶された前記宛先情報に基づき前記画像データを通信ネットワーク上の前記画像サーバにアップロードする第２通信手段とを備える電子カメラと、前記電子カメラとは別体であって、前記画像データをアップロードする画像サーバの通信ネットワーク上の宛先情報を固定記憶する第３記憶手段と、前記電子カメラによる被写体の撮影時に前記被写体側の電子機器との間で交信を行うことにより、前記電子機器の識別情報を前記電子機器から受信する第５通信手段と、前記第３記憶手段に固定記憶された前記宛先情報に基づき前記電子機器の識別情報を通信ネットワーク上の前記画像サーバにアップロードする第６通信手段とを備える通信装置と、前記電子カメラにより画像データを撮影される被写体側の電子機器であって、前記電子カメラが前記画像データをアップロードする前記画像サーバの通信ネットワーク上の宛先情報を固定記憶する第２記憶手段と、被写体の撮影時に前記通信装置との間で交信を行うことにより、前記電子機器の識別情報を前記通信装置に送信する第３通信手段と、前記第２記憶手段に固定記憶された前記宛先情報と前記電子機器の識別情報に基づき前記画像データを通信ネットワーク上の前記画像サーバからダウンロードする第４通信手段とを備える電子機器と、前記通信ネットワーク上に設置された画像サーバであって、前記電子カメラからアップロードされた前記画像データを前記通信装置からアップロードされた前記電子機器の識別情報に対応付けて保存するとともに、前記画像サーバにアクセスしてきた電子機器の識別情報に対応した画像データを前記電子機器にダウンロードする画像サーバとから構成されることを特徴とする画像伝送システム。  
【請求項２７】
請求項５から請求項１５または請求項２０から請求項６のいずれかに記載の画像伝送システムにおいて、前記電子カメラは前記画像データのデータ量を縮小した縮小画像データを生成する縮小手段を備え、前記電子カメラは前記縮小画像データを前記第１通信手段から、前記被写体側の電子機器の前記第３通信手段に送信することを特徴とする画像伝送システム。  
【請求項２８】
請求項５から請求項１５または請求項２０から請求項２４のいずれかに記載の画像伝送システムにおいて、前記電子カメラの前記第１通信手段と前記電子機器の前記第３通信手段の交信は、前記電子カメラの撮像手段による画像データの撮像時に行われることを特徴とする画像伝送システム。  
【請求項２９】
請求項５から請求項１５または請求項２０から請求項２６のいずれかに記載の画像情報システムにおいて、前記第１通信手段と前記第３通信手段は、無線交信を行うことを特徴とする画像伝送システム。  
【請求項３０】
請求項２９に記載の画像伝送システムにおいて、前記第１通信手段と前記第３通信手段は、電波信号を用いて無線交信するとともに、前記第１通信手段は前記電波信号の送信出力レベルを限定することにより無線交信範囲を前記電子カメラから所定距離範囲内に制限することを特徴とする画像伝送システム。  
【請求項３１】
請求項３０に記載の画像伝送システムにおいて、前記第１通信手段と前記第３通信手段は、電波信号を用いて無線交信するとともに、前記第１通信手段は前記電波信号の送信出力レベルを前記被写体までの距離に応じて変更することを特徴とする画像伝送システム。  
【請求項３２】
請求項３１に記載の画像伝送システムにおいて、前記第１通信手段は、前記被写体までの距離が大きくなるにつれて前記電波信号の送信出力レベルを大きくすることを特徴とする画像伝送システム。  
【請求項３３】
請求項３２に記載の画像伝送システムにおいて、前記第１通信手段と前記第３通信手段は、電波信号を用いて無線交信するとともに、前記第１通信手段前記電波信号の送信出力レベルを前記撮影光学系の焦点距離に応じて変更することを特徴とする画像伝送システム。  
【請求項３４】
請求項３３に記載の画像伝送システムにおいて、前記第１通信手段は、前記撮影光学系の焦点距離が大きくなるにつれて前記電波信号の送信出力レベルを大きくすることを特徴とする画像伝送システム。  
【請求項３５】
請求項３１に記載の画像伝送システムにおいて、前記第１通信手段は、被写体が存在する確率が高い方向に強い無線交信の指向性を有することを特徴とする画像伝送システム。  
【請求項３６】
請求項３５に記載の画像伝送システムにおいて、前記第１通信手段、前記撮影光学系の光軸に沿った撮影方向に強い無線交信の指向性を有することを特徴とする画像伝送システム。  
【請求項３７】
請求項５から請求項１５または請求項２０から請求項３６のいずれかに記載の画像伝送システムにおいて、前記通信ネットワークはインターネットであることを特徴とする画像伝送システム。  
【請求項３８】
電子カメラにより撮影した被写体の画像データを被写体側の電子機器に伝送する画像伝送方法であって、前記電子カメラにより被写体を撮影し、画像データを生成する撮像ステップと、前記電子カメラと前記電子機器との間で交信を行い、前記画像データをアップロードする画像サーバの通信ネットワーク上の宛先情報と前記画像データの識別情報を前記電子機器との間で伝送する第１交信ステップと、前記電子カメラが前記宛先情報と前記識別情報に基づき前記画像データを通信ネットワーク上の前記画像サーバにアップロードする第１伝送ステップと、前記画像サーバが前記電子カメラからアップロードされた画像データを前記識別情報に対応付けて保存する保存ステップと、前記電子機器が前記宛先情報と前記識別情報に基づき前記画像データを通信ネットワーク上の前記画像サーバからダウンロードする第２伝送ステップとを備えることを特徴とする画像伝送方法。  
【請求項３９】
電子カメラにより撮影した被写体の画像データを被写体側の電子機器に伝送する画像伝送方法であって、前記電子カメラにより被写体を撮影し、画像データを生成する撮像ステップと、前記電子カメラと前記電子機器との間で交信を行い、前記画像データをアップロードする画像サーバの通信ネットワーク上の宛先情報を前記電子機器との間で伝送する第１交信ステップと、前記電子カメラが前記宛先情報に基づき前記画像データを通信ネットワーク上の前記画像サーバにアップロードする第１伝送ステップと、前記画像サーバが前記電子カメラからアップロードされた画像データを保存する保存ステップと、前記電子機器が前記宛先情報に基づき前記画像データを通信ネットワーク上の前記画像サーバからダウンロードする第２伝送ステップとを備えることを特徴とする画像伝送方法。  
【請求項４０】
電子カメラにより撮影した被写体の画像データを被写体側の電子機器に伝送する画像伝送方法であって、前記電子カメラにより被写体を撮影し、画像データを生成する撮像ステップと、前記電子カメラと前記電子機器との間で交信を行い、前記画像データをアップロードする画像サーバの通信ネットワーク上の宛先情報と前記電子機器の識別情報を前記電子機器との間で伝送する第１交信ステップと、前記電子カメラが前記宛先情報に基づき前記画像データと前記電子機器の識別情報を通信ネットワーク上の前記画像サーバにアップロードする第１伝送ステップと、前記画像サーバが前記電子カメラからアップロードされた画像データを前記電子機器の識別情報に対応付けて保存する保存ステップと、前記電子機器が前記宛先情報と前記電子機器の識別情報に基づき前記画像データを通信ネットワーク上の前記画像サーバからダウンロードする第２伝送ステップとを備えることを特徴とする画像伝送方法。  
【請求項４１】
電子カメラにより撮影した被写体の画像データを被写体側の電子機器に伝送する画像伝送方法であって、前記電子カメラにより被写体を撮影し、画像データを生成する撮像ステップと、前記電子カメラと前記電子機器との間で交信を行い、前記電子機器の通信ネットワーク上の宛先情報を前記電子機器から前記電子カメラに送信する第１交信ステップと、前記電子カメラが前記画像データと前記電子機器の宛先情報を通信ネットワーク上の前記画像サーバにアップロードする第１伝送ステップと、前記画像サーバが前記電子カメラからアップロードされた画像データを前記電子機器の宛先情報に対応した通信ネットワーク上の前記電子機器に送信する第２伝送ステップとを備えることを特徴とする画像伝送方法。  
【請求項４２】
電子カメラにより撮影した被写体の画像データを被写体側の電子機器に伝送する画像伝送方法であって、前記電子カメラにより被写体を撮影し、画像データを生成する撮像ステップと、前記電子カメラが前記画像データと前記画像データの識別情報を通信ネットワーク上の前記画像サーバにアップロードする第１伝送ステップと、前記画像サーバが前記電子カメラからアップロードされた画像データを前記識別情報に対応付けて保存する保存ステップと、前記電子カメラと前記電子機器との間で交信を行い、前記画像データをアップロードした画像サーバの通信ネットワーク上の宛先情報と前記画像データの識別情報を前記電子カメラから前記電子機器に送信する第１交信ステップと、前記電子機器が前記宛先情報に基づき前記通信ネットワーク上の前記画像サーバに接続し、前記識別情報に対応した画像データを前記画像サーバからダウンロードする第２伝送ステップとを備えることを特徴とする画像伝送方法。  
【請求項４３】
電子カメラにより撮影した被写体の画像データを被写体側の電子機器に伝送する画像伝送方法であって、前記電子カメラにより被写体を撮影し、画像データを生成する撮像ステップと、前記電子カメラが前記画像データと前記画像データの識別情報を通信ネットワーク上の前記画像サーバにアップロードする第１伝送ステップと、前記画像サーバが前記電子カメラからアップロードされた画像データを前記識別情報に対応付けて保存する保存ステップと、前記電子カメラと前記電子機器との間で交信を行い、前記通信ネットワーク上での前記電子機器の宛先情報を前記電子機器から前記電子カメラに送信する第１交信ステップと、前記電子機器の宛先情報と前記画像データの識別情報を前記電子カメラが前記画像サーバに送信する第２交信ステップと、前記画像サーバが前記宛先情報に基づき前記通信ネットワーク上の前記電子機器に接続し、前記識別情報に対応した画像データを前記画像サーバから前記電子機器に送信する第２伝送ステップと、を備えることを特徴とする画像伝送方法。  
【請求項４４】
請求項３８から請求項４３のいずれかに記載の画像伝送方法において、前記第１交信ステップにおいて前記電子カメラは予め限定された電子機器と交信を行うことを特徴とする画像伝送方法。  
【請求項４５】
請求項３８から請求項４２のいずれかに記載の画像伝送方法において、前記電子カメラと前記電子機器の間で行われる前記第１交信ステップは、前記撮像ステップと略同時に行われることを特徴とする画像伝送方法。  
【請求項４６】
請求項３８から請求項４４のいずれかに記載の画像伝送方法において、前記電子カメラと前記電子機器の間で行われる前記第１交信ステップは、前記電子機器から起動されることを特徴とする画像伝送方法。  
【請求項４７】
請求項３８から請求項４０のいずれかまたは請求項４２に記載の画像伝送方法において、前記電子カメラと前記電子機器の間で行われる前記第１交信ステップでは前記電子機器から前記電子カメラに前記電子機器の識別情報が送信されるとともに、前記電子カメラが前記電子機器の識別情報を前記画像サーバに送信する第３交信ステップと、前記画像サーバが前記画像データをダウンロードする電子機器を前記電子機器の識別情報に基づいて制限する制御ステップとを備えることを特徴とする画像伝送方法。
【発明の詳細な説明】
【０００１】
【発明の属する技術分野】
本発明は、携帯端末間等でデータをやりとりする情報伝送システムおよび情報伝送方法に関し、特に所望の被写体を電子カメラ等の撮影装置により撮影した得られた電子画像データを画像表示機能付きの携帯電話端末等の電子機器に伝送する画像伝送システムおよび画像伝送方法に関するものである。
【０００２】
【従来の技術】
従来電子カメラで撮影した画像データを他の画像表示端末に転送して閲覧するような場合、画像データを一旦メモリカードに保存し、該メモリーカードを他の画像表示端末に装着するようなオフラインの情報伝送方法と、画像データを無線または有線で電子カメラから他の画像表示端末に通信により伝送するオンラインによる情報伝送方法が知られている。例えば特開平１０−３４１３８８号公報には、赤外線を用いた光通信により電子カメラから他の電子カメラに画像データを直接伝送する画像伝送システムが開示されている。
【０００３】
【発明が解決しようとする課題】
上記のような従来のオフラインの画像伝送システムおよび画像伝送方法では、メモリカードのような情報記憶媒体をやりとりする必要があるので、いちいち記憶媒体の取り外しと装着を行わなければならず、その間に撮影などのデータの取得・記録ができないとともに、記録媒体を物理的に運搬せねばならず、受け取り側でデータを利用できるまでに時間がかかるという欠点があった。
【０００４】
また上記のような従来のオンラインの画像伝送システムおよび画像伝送方法では情報記録媒体の運搬は不要にはなるが、伝送時の通信速度が遅い場合にはやはり通信中に撮影などのデータの取得・記録ができないという欠点があった。特に画像データは、一般的な文書データ等と比較してデータ量が非常に大きくなるために、情報伝送にかかる時間が増大する傾向があった。また多数の人達の集合写真を電子カメラで撮影し、撮影した画像データを被写体となった多数の人達の携帯電話等に電子カメラから直接配信する場合には、画像データの伝送に膨大な時間がかかってしまった。
【０００５】
そこで本発明は、画像伝送の際に画像送信側の負担が少なくかつ画像が短時間で画像受信側に伝送される画像伝送システムおよび画像伝送方法を提供することを目的とし、特に電子カメラで撮影した画像データを電子カメラ側に大きな負担をかけずにかつ迅速に相手側の電子機器に伝送できる画像伝送システムおよび画像伝送方法を提供することを目的とする。また電子カメラで撮影した画像データを電子カメラに大きな負担をかけずにかつ迅速に被写体となった複数の人が所持している携帯端末に配信できる画像伝送システムおよび画像伝送方法を提供することを目的とする。
【０００６】
【課題を解決するための手段】
上記目的を達成するため、本発明による情報伝送システム（画像伝送システム）および情報伝送方法（画像伝送方法）においては、情報生成装置（撮影装置、電子カメラ）はインターネットへの接続機能を備え、生成した情報（画像）に識別データ（ファイル名）を付けて一旦インターネット上の所定の情報サーバ（画像サーバ）に伝送して保存する（アップロード）とともに、情報（画像）の送信先である電子機器とは近距離通信を利用して直接接続し、前記インターネット上の情報サーバ（画像サーバ）の宛先情報と前記生成した情報（画像）の識別データを電子機器側に伝送し、電子機器は受信した宛先情報と識別データに基づいてインターネット上の情報サーバ（画像サーバ）から情報（画像）を読み出し（ダウンロード）て利用することを特徴とする。
【０００７】
上記目的を達成するため、本発明による情報伝送システム（画像伝送システム）および情報伝送方法（画像伝送方法）においては、情報生成装置（撮影装置、電子カメラ）は情報（画像）の送信先である電子機器と近距離通信を利用して直接接続し、相手側の電子機器より該電子機器のインターネット上の宛先情報を受信し、生成した情報（画像）とともに電子機器の宛先情報を一旦インターネット上の所定の情報サーバ（画像サーバ）に伝送（アップロード）するとともに、情報サーバ（画像サーバ）は受信した情報（画像）を受信した宛先情報に対応した電子機器に自動的に送信することを特徴とする。
【０００８】
【発明の実施の形態】
以下、図面を参照して本発明の実施形態について説明する。図１は本発明の実施形態の概念図であって、電子カメラは撮影範囲内にある被写体を撮影するとともに、撮影の結果得られた画像データにファイル名を付け、インターネット上の画像サーバに接続し、画像サーバの所定のフォルダに前記画像データをアップロードする。また電子カメラは近距離無線交信によりカメラ近傍の被写体が所持している電子機器（携帯電話など）に宛先情報（画像サーバのインターネット上のアドレス＝ＵＲＬ：Ｕｎｉｆｏｒｍ  Ｒｅｓｏｕｒｃｅ  Ｌｏｃａｔｏｒと画像サーバ上のフォルダ名と画像データのファイル名）を送信する。被写体が所持している電子機器（携帯電話など）は、電子カメラより近距離無線交信で受信した関連情報に基づき、インターネット上の画像サーバに接続し、画像サーバの所定のフォルダから前記画像データをダウンロードして画面に表示する。
【０００９】
図２は本発明を適用した電子カメラと画像サーバと携帯電話端末を利用した情報伝送システムの概念図である。図２において、電子カメラ１００は撮影範囲内に存在する被写体を撮影し、電子画像データまたはデジタル画像データ（以下画像データと呼ぶ）を生成する。電子カメラ１００は無線電話機能を備えており、無線携帯電話回線１９０により基地局１２０経由で公衆電話回線網１４０に接続する。公衆電話回線網１４０はさらにインターネット１３０に接続しており、電子カメラ１００はインターネット１３０上に設置された画像サーバ１５０に接続する。画像サーバ１５０は画像データを保存するための大容量メモリを備え、インターネット１３０経由でアップロードされる画像データをユーザ毎に設定されたフォルダに保存するとともに、インターネット１３０経由で外部より読み出し要求があった場合は指定された画像データをインターネット１３０経由でダウンロードさせる。電子カメラ１００は該画像サーバ１５０に接続し、所定のフォルダに画像データをアップロードして保存する。
【００１０】
また電子カメラ１００はブルーツースのような近距離無線通信機能を備え、近距離無線回線１８０により同じ方式の近距離無線通信機能を備えた携帯電話１６０と交信し、画像データをアップロードした画像サーバの識別データ（ＵＲＬ）とフォルダの識別データ（フォルダ名）と画像データの識別データ（ファイル名）を携帯電話端１６０に転送する。電子カメラ１００の被写体となる人物が所持していることが想定されており、この携帯電話１６０にはユーザの個人情報を記憶するとともに、画像データを格納するＵＩＭカード（Ｕｓｅｒ  Ｉｄｅｎｔｉｆｙ  Ｍｏｄｕｌｅ  カード）１７０が装着される。
【００１１】
携帯電話１６０は無線電話機能を備えており、無線携帯電話回線１９０により基地局１２０経由で公衆電話回線網１４０に接続する。公衆電話回線網１４０はさらにインターネット１３０に接続しており、携帯電話１６０はインターネット１３０上に設置された画像サーバ１５０に接続する。携帯電話１６０は該画像サーバ１５０に接続し、所定のフォルダに画像データをダウンロードしてＵＩＭカード１７０に保存するとともに、ダウンロードした画像データを画面に表示する。
【００１２】
なおブルーツースとは２．４５ＧＨｚ帯の無線電波を用いて１０ｍ程度の近距離をカバーし、１対１または１対多の接続を１Ｍｂｐｓの転送速度で実現する近距離用微弱送信出力のモバイル通信技術（携帯電子機器用）である。
【００１３】
図３、図４は、図２に示した電子カメラ１００の一実施形態の外観図（正面視および背面視）である。図３に示すように電子カメラ１００の前面には被写体像を形成するための撮影レンズ１０、撮影画面を確認するためのファインダ１１、撮影時に被写体を照明するためのストロボ１２、被写体の明るさを検知するための測光回路１３、電子カメラ１００を手でホールドするためにカメラ本体から出っ張ったグリップ部１４が備えられ、上面には撮影開始を指示するためのレリーズボタン１６、電子カメラ１００の電源のＯＮ／ＯＦＦ制御を行うための電源スイッチ１７（モーメンタリーなスイッチであり、操作毎にＯＮとＯＦＦが切り替わる）が備えられる。
【００１４】
図４に示すように、電子カメラ１００の背面にはファインダ１１の接眼部、テキストおよび画像表示用の略四角形の画面を備えた左ＬＣＤ（左画面）２１とテキストおよび画像表示用の略四角形の画面を備えた右ＬＣＤ（右画面）２２が配置され、左ＬＣＤ２１の左側近傍には左画面２１に表示される画像をスクロールするための上方向ボタン２３と下方向ボタン２４、右ＬＣＤ２２と左ＬＣＤ２１の周辺には電子カメラ１００を撮影モードに設定するための撮影モードボタン２５、再生モードに設定するための再生モードボタン２６、画像データのプリント用のプリントボタン２７、画像データの送信用の送信ボタン２８、画像データのダウンロード用のダウンロードボタン２９が配置されている。アップロードダイヤル３２は回転操作により画像データをアップロードする画像サーバを選択するための操作部材であって、ドット３１の位置に合わせた番号に応じた画像サーバが選択される。側面にはメモリカード７７を装着するためのメモリカードスロット３０が備えられる。
【００１５】
なおレリーズボタン１６、上方向ボタン２３、下方向ボタン２４、撮影モードボタン２５、再生モードボタン２６、プリントボタン２７、送信ボタン２８、ダウンロードボタン２９、アップロードダイヤル３２は全てユーザーによって操作される操作キーである。
【００１６】
なお左ＬＣＤ２１および右ＬＣＤ２２の表面上には、指の接触操作により指示された位置に対応する位置データを出力する機能を備えたいわゆるタッチスクリーン６６が配置され、画面上に表示された選択項目や画像データの選択に用いることができる。このタッチスクリーン６６はガラス樹脂等の透明材料によって構成され、ユーザはタッチスクリーン６６の内側に形成される画像やテキストを、タッチスクリーン６６を通して観察することができる。
【００１７】
図５は、図２に示した携帯電話１６０の一実施形態の外観図（正面視）である。図５に示すように携帯電話１６０は表示画面１６１と操作キー１６２とＵＩＭカード装着用カードスロットを備えている。
【００１８】
図６は、図３および図４に示した電子カメラ１００の内部の電気構成例を示すブロック図であって、各構成要素は各種情報データおよび制御データを伝送するためのデータ／制御バス５１を介して互いに接続されている。各構成要素は大きく以下の５つのブロックに分類される。画像データの撮影動作を実行する撮影制御回路６０を中心とするブロック、電子カメラ１００の近傍にある電子機器との間で近距離無線通信（ブルーツース等）により交信を行う無線通信回路７１と無線携帯電話回線を用いて外部とデータの送受信を行う無線電話回路７２を中心とするブロック、画像ファイルを記憶・保存するメモリカード７７のブロック、画像データおよびその関連情報の表示を実行する画面制御回路９２を中心とするブロック、操作キー６５等のユーザーインターフェースと各制御回路に対する統括制御を行うＣＰＵ５０を中心とするブロックである。
【００１９】
ＣＰＵ５０（中央処理ユニット）は電子カメラ１００全体の制御を行う手段であって、操作キー６５、タッチスクリーン６６、電源スイッチ１７、タイマ７４、測光回路１３からの入力情報に応じて撮影制御回路６０、無線通信回路７１、無線電話回路７２、画面制御回路９２、電源制御回路６４への各種指示を行う。測光回路１３は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、該設定データに応じて撮影制御回路６０を介し絞り５３の絞り値を絞り制御回路５４により制御する。
【００２０】
ＣＰＵ５０は撮影モードではレリーズボタン１５の操作に応じて撮影制御回路６０を介し撮影動作を制御する。またＣＰＵ５０は測光データに基づき被写体が暗い場合には、撮影時にストロボ駆動回路７３を介しストロボ１２を発光させる。タイマ７４は時計回路を内蔵し、現在の日時に対応する日時情報を検出し、撮影時に撮影日時情報をＣＰＵ５０に供給する。ＣＰＵ５０は、ＲＯＭ６７（リードオンリメモリ）に記憶されている制御プログラムに従い各部を制御する。ＥＥＰＲＯＭ６８（電気的消去書き込み可能ＲＯＭ）は不揮発性のメモリであって、電子カメラ１００の動作に必要な設定情報等を記憶している。ＲＡＭ７０は揮発性のメモリであって、ＣＰＵ５０の作業領域として用いられる。ＣＰＵ５０は、電源スイッチ１７の操作状態を検知して、電源制御回路６４を介して電源６３の制御を行う。
【００２１】
撮影制御回路６０は、レンズ駆動回路５２により撮影レンズ１０のフォーカシング、ズーミングを行い、絞り制御回路５４により絞り５３を制御してＣＣＤ５５の露光量をコントロールし、ＣＣＤ駆動回路５６によりＣＣＤ５５の動作を制御する。被写体からの光束は撮影レンズ１０により光量調節のための絞り５３を介し、ＣＣＤ５５上に被写体像として形成され、この被写体像はＣＣＤ５５により撮像される。複数の画素を備えたＣＣＤ５５（チャージカップルドデバイス）は被写体像を撮像するための電荷蓄積型イメージセンサーであり、ＣＣＤ５５上に形成された被写体像の強度に応じた電気的な画像信号をＣＣＤ駆動回路５６により供給される駆動パルスに応じてアナログ処理部５７に出力する。
【００２２】
撮影制御回路６０は上述の動作を繰り返すとともに、画面制御回路９２は撮影バッファメモリ５９に順次格納されるデジタルデータをデータ／制御バス５１を介して読み出してフレームメモリ６９に一旦格納し、該デジタルデータを表示用画像データに変換してフレームメモリ６９に再格納し、該表示用画像データを左画面２１に表示させるという動作を繰り返す。また画面制御回路９２は必要に応じてテキスト表示情報をＣＰＵ５０から入手し、表示用テキストデータに変換してフレームメモリ６９に格納し、該表示用テキストデータを左画面２１、右画面２２に表示させる。このようにして撮影モードにおいては、左画面２１にＣＣＤ５０により撮像されている画像がリアルタイムに表示されるので、このスルー画像をモニター画面として使用して撮影のための構図設定を行うことが可能になる。撮影制御回路６０は撮影バッファメモリ５９に格納したデジタルデータの高周波成分の度合い解析して撮影レンズ１０の焦点調節状態を検出し、検出結果に応じてレンズ駆動回路５２により撮影レンズ１０の焦点調節を行う。
【００２３】
撮影時に撮影制御回路６０はＣＰＵ５０から撮影指示を受けると、ＣＣＤ駆動回路５６を介してＣＣＤ５５により被写体像を撮像させ、撮像により生成した画像信号をアナログ処理部５７、Ａ／Ｄ変換回路５８を介して撮影バッファメモリ５９にデジタルデータ（生データ）として一旦格納する。撮影制御回路６０は撮影バッファメモリ５９に一旦格納したデジタルデータを所定の記録フォーマット（ＪＰＥＧなど）に変換または圧縮して画像データを形成し、該画像データを撮影バッファメモリ５９に再格納する。
【００２４】
ＣＰＵ５０は該画像データを無線電話回路７２によりアンテナ７６から無線出力し、インターネット上の画像サーバのフォルダにアップロードするとともに、該画像データをアップロードした画像サーバの識別データとフォルダの識別データと画像データの識別データを無線通信回路７１によりアンテナ７５から無線出力する。その後ＣＰＵ５０は撮影バッファメモリ５９に格納された画像データを保存用にデータ量を減少させた縮小画像データ（以下サムネイル画像データと呼ぶ）に変換し、該サムネイル画像データに関連情報（画像サーバの識別データとフォルダの識別データと画像データの識別データ）を付加してメモリカード７７に記憶させる。
【００２５】
再生モードにおいては、画面制御回路９２はメモリカード７７からＣＰＵ５０に指示されたサムネイル画像データを読み出してフレームメモリ６９に一旦格納し、該サムネイル画像データを左画面２１に表示するとともに、ＣＰＵ５０の指示に従い、再生モードの説明等のテキストデータをフレームメモリ６９に格納し、該テキストデータを右画面２２に表示する。ＣＰＵ５０は再生モードにおいてプリントボタン２７が操作されると、再生されているサムネイル画像データに対応する画像データをプリンタに印刷させる動作を行う。またＣＰＵ５０は再生モードにおいて送信ボタン２８が操作されると、再生されているサムネイル画像データに対応する画像データを相手先の電子機器に送信させる動作を行う。
【００２６】
またＣＰＵ５０は再生モードにおいてダウンロードボタン２９が操作されると、再生されているサムネイル画像データに対応する画像データを無線電話回路７２により画像サーバからダウンロードして、フレームメモリ６９にセットする。画面制御回路９２はフレームメモリ６９にセットされた画像データを表示用画像データに変換してフレームメモリ６９に再格納し、該表示用画像データを左画面２１に表示させる。
【００２７】
図７は、図５に示した携帯電話１６０の内部の電気構成例を示すブロック図であって、各構成要素はＣＰＵ１５１を中心に接続される。ＣＰＵ１５１（中央処理ユニット）は携帯電話１６０全体の制御を行う手段であって、操作キー１６２、タッチスクリーン１６６、電源スイッチ１１７、タイマ１７４からの入力情報に応じて無線通信回路１７１、無線電話回路１７２、表示画面１６１、電源１６３の制御を行う。ＣＰＵ１５１は通話モードでは、マイクロフォン１６４で入力した音声を音声データに変換し、無線電話回路１７２によりアンテナ１７６から外部に無線送信出力させるとともに、アンテナ１７６を介して無線電話回路１７２で外部から受信した音声データをスピーカ１６５により音声再生する。
【００２８】
ＣＰＵ１５１はインターネットモードでは、アンテナ１７５と無線通信回路１７１により電子カメラ１００との間で近距離無線交信により画像データに関する情報のやりとりを行い、得られた関連情報（画像サーバの識別データとフォルダの識別データと画像データの識別データ）に基づき、無線電話回路１７２を介してインターネット上の画像サーバに接続し、所望の画像データをダウンロードし、画像データを表示画面に再生表示するとともに、ＵＩＭカード１７０やフラッシュメモリ１６８に保存する。
【００２９】
ＣＰＵ１５１は、ＲＯＭ１６７（リードオンリメモリ）に記憶されている制御プログラムに従い各部を制御する。フラッシュメモリ１６８（電気的消去書き込み可能なメモリ）は不揮発性のメモリであって、画像データ等が記憶される。ＲＡＭ１６９は揮発性のメモリであって、ＣＰＵ１５１の作業領域として用いられる。ＣＰＵ１５１は、電源スイッチ１１７の操作状態を検知して電源１６３の制御を行う。
【００３０】
図８は図４に示す電子カメラ１００のアップロードダイヤル３２の設定された番号とアップロード先の画像サーバとの関係を示す図であって、図８に示すように番号１、２、３、４が画像サーバＷ、Ｘ、Ｙ、Ｚに対応している。
【００３１】
図９はメモリカード７７内に格納されるデータの構成を示す。図９に示すようにメモリカード７７には複数の画像ファイルが保存される。各画像ファイルはサムネイル画像データと付加情報データから構成される。付加情報データは、撮影時の各種設定を示す撮影情報データ（図１０）と画像データを画像サーバにアップロードした際のアップロード情報データから構成される。アップロード情報データは、画像データを画像サーバにアップロードした日時データ、画像サーバの識別データ（アップロード先ＵＲＬ）、フォルダ名、ファイル名、画像データのデータ量、画像データの記録形式などから構成される。
【００３２】
図１０は撮影情報データの構成を示す図であって、撮影日時データや撮影時の撮影レンズの設定やカメラの設定に関する設定情報から構成される。
【００３３】
図１１は本発明による電子カメラの実施形態の状態遷移図である。電子カメラ１００の動作モードには撮影モード、再生モードの２つのモードがあり、２つの操作ボタン（撮影モードボタン２５、再生モードボタン２６）の操作により、各モード間を移行する。電源をＯＮすると、まず撮影モードに移行する。撮影モードでは撮影動作、画像データの画像サーバへのアップロード動作、画像データのサムネイル画像データへの変換およびメモリカード７７への記憶動作、携帯電話との近距離無線交信動作を実行する。再生モードではサムネイル画像データの再生動作、画像サーバからの画像データのダウンロード動作、画像データの携帯電話への送信動作、画像データのプリンタによるプリント動作を行う。
【００３４】
図１１は上記実施形態における電子カメラ１００（ＣＰＵ５０）の動作のメインフローチャートである。まずＳ１０により電源スイッチ１７を操作すると電源がＯＮとなり、Ｓ２０で撮影モードサブルーチンを実行し撮影可能状態になる。撮影モード中にレリーズボタン１６を操作すると、Ｓ３０のレリーズ割込み処理サブルーチンが実行され、撮影動作が行われる。また撮影された画像データはアップロードダイヤル３２で指定されたインターネット上の画像サーバに無線電話回線を通じてアップロードされるとともに、サムネイル画像データに変換されてメモリカード７７に格納されるとともに、画像データのアップロードに関する情報が近距離無線交信により、電子カメラ１００の近傍にいる被写体の所持する携帯電話１６０に自動的と送信される。
【００３５】
また各動作モードにおいて２つの操作ボタン（撮影モードボタン２５、再生モードボタン２６）を操作すると、Ｓ５０のモード切換割込み処理が起動し、操作ボタンの種類に応じて各モードへの切換が行われる。
【００３６】
Ｓ６０の再生モードにおいては、メモリカード７７に保存された画像ファイルを読み出し、サムネイル画像データを表示画面に再生表示するとともに、送信ボタン２８を操作すると、Ｓ７０の送信割込み処理サブルーチンが実行され、選択されたサムネイル画像データに対応する画像データのアップロードに関する情報が近距離無線交信により、電子カメラ１００の近傍にいる被写体の所持する携帯電話１６０に送信されるとともに、携帯電話１６０では電子カメラ１００から受信した情報に基づき自動的にインターネット上の画像サーバに接続し、画像データをダウンロードし、画面に表示したりＵＩＭカードに保存する。
【００３７】
再生モード中にプリントボタン２７を操作すると、Ｓ８０のプリント割込み処理サブルーチンが実行され、選択されたサムネイル画像データに対応する画像データのアップロードに関する情報が近距離無線交信により、電子カメラ１００の近傍にあるプリンタに送信されるとともに、プリンタでは電子カメラ１００から受信した情報に基づき自動的にインターネット上の画像サーバに接続し、画像データをダウンロードして印刷を実行する。
【００３８】
再生モード中にダウンロードボタン２９を操作すると、Ｓ９０のダウンロード割込み処理サブルーチンが実行され、選択されたサムネイル画像データに対応する画像データを画像データのアップロード先の画像サーバから無線電話回線を用いてダウンロードし、表示画面に再生表示する。
【００３９】
図１３は撮影モードサブルーチンの詳細フローチャートであって、Ｓ２０で起動すると、Ｓ２０１の処理を繰り返す。Ｓ２０１ではユーザが設定した撮影設定条件に基づき順次ＣＣＤ５５により生成される画像データを図１４に示すように左画面２１に表示し、そのときの撮影設定条件を右画面２２にテキスト表示する図１５はレリーズ割込み処理サブルーチンの詳細フローチャートであって、Ｓ３０で起動すると、Ｓ３０１で撮影モードであるかチェックし、撮影モードでない場合はＳ３１１でリターンする。撮影モードの場合は、Ｓ３０２でユーザに設定された撮影設定条件で撮像動作を実行し、画像データを生成し、Ｓ３０３では画像データをサムネイル画像データに変換するとともに、アップロード情報データを付加して画像ファイルとして、メモリカード７７に格納する。つぎにＳ３０４で無線通信手段７１により、電子カメラ１００の周囲にある電子機器（被写体となった人物が所持している携帯電話）に対して無線交信を試みる。その際撮影レンズ１０の焦点距離に応じて、無線交信の際の信号送信出力を変更する。例えば焦点距離が長いほど被写体が遠距離に存在すると推測されるので、信号送信出力レベルを大きくする。Ｓ３０５で交信が成立しなかった場合はＳ３１１でリターンする。交信が成立した場合は、Ｓ３０６で交信が成立した交信相手の電子機器に対し、画像データのアップロード情報を送信する。Ｓ３０７で撮影した画像データの表示を開始する。
【００４０】
Ｓ３０８ではアップロードダイヤル３２で指定された画像サーバの所定のフォルダ（撮影者または電子カメラ１００に固有なフォルダ）に画像データをアップロードする。画像データのアップロードが終了するとＳ３０９では無線通信手段７１により、電子カメラ１００の周囲にある電子機器に対して画像データのアップロードの完了を通知する。Ｓ３１０では画像データの表示を終了し、Ｓ３１１でリターンし、再び撮影モードによりスルー画像の表示が開始される。
【００４１】
図１６は上記レリーズ割込み処理の際の電子カメラと電子機器（携帯電話）との間で行われる無線交信動作を説明するためのシーケンス図であって、まず電子カメラ１００側でレリーズ操作されると、それに応じて撮影動作が行われ、次に画像データをサムネイル画像データに変換して保存する。次に電子カメラ１００側から周囲にある電子機器に対して▲１▼探索交信の無線交信が試みられる。▲１▼探索交信では送信元を示す電子カメラ１００の識別情報が送信される。
【００４２】
この▲１▼探索交信を受信した電子機器は、これに応答してして電子カメラ１００に対し▲２▼応答を行い、送信元の電子機器の識別情報と送信先の電子カメラ識別情報を送信する。
【００４３】
▲２▼応答を受信した電子カメラ１００は、電子機器の識別情報に基づいて交信相手を確認するとともに、交信相手の電子機器を特定してアップロード情報を送信するために、▲３▼情報送信を実行する。▲３▼情報送信では、送信先の電子機器の識別情報、送信元の電子カメラ１００の識別情報、アップロード情報、サムネイル画像データ等が送信される。
【００４４】
▲３▼情報送信に含まれる電子機器の識別情報に対応する電子機器は電子カメラ１００に対して応答し▲４▼情報送信を行う。▲４▼情報送信には、送信先の電子カメラ１００の識別情報、送信元を示す電子機器の識別情報、関連情報（電子機器が指定する画像サーバ情報）が含まれる。
【００４５】
電子カメラ１００は電子機器からの▲４▼情報送信をうけとると、画像データを無線電話回線によりインターネット上の画像サーバにアップロードする。画像データのアップロードが終了すると、電子カメラ１００は▲５▼アップロード終了通知を電子機器に送信する。これを受信した電子機器は、▲３▼情報送信で受信したアップロード情報に基づき無線電話回線によりインターネット上の画像サーバに接続し、指定された画像データをダウンロードして利用する。
【００４６】
なお▲２▼応答が複数の電子機器からあった場合には、電子カメラ１００は電子機器に対し上記▲３▼情報送信を一対多の同時通報の交信で行ってもいいし、電子機器毎に一対一の交信で行っても良い。この場合▲４▼情報送信は複数回行われることになる。
【００４７】
図１７は操作ボタン（撮影モードボタン２５、再生モードボタン２６）の操作により起動するモード切換割込み処理サブルーチンの詳細フローチャートであって、Ｓ５０で起動すると、Ｓ５０１で操作されたボタンが撮影モードボタン２５であるかチェックし、撮影モードボタン２５である場合にはＳ２０の撮影モードサブルーチンに移行する。撮影モードボタン２５でない場合は、Ｓ６０の再生モードサブルーチンに移行する。
【００４８】
図１８は再生モードサブルーチンの詳細フローチャートであって、Ｓ６０で起動すると、Ｓ６０１の処理を繰り返す。Ｓ６０１ではメモリカード７７に格納された画像ファイル中のサムネイル画像データを撮影日時順に新しいデータから読み出して、図１９に示すように左画面２１に再生表示するとともに、右画面２２に操作方法の説明を表示する。また左画面２１に表示されたサムネイル画像データは方向ボタン２３、２４の操作に応じてスクロールされる。なお再生モードにおいては左画面２１に表示された複数のサムネイル画像データのうちの一つがユーザによりタッチスクリーン６６を用いて選択され、選択されたサムネイル画像データに対して後述の送信動作、プリント動作、ダウンロード動作が行われる。
【００４９】
図２０は送信割込み処理サブルーチンの詳細フローチャートであって、Ｓ７０で起動すると、Ｓ７０１で再生モードであるかチェックし、再生モードでない場合はＳ７０７でリターンする。再生モードの場合は、Ｓ７０２で無線通信手段７１により、電子カメラ１００の周囲にある電子機器に対して信号送信出力レベルで無線交信を試みる。Ｓ７０３で交信が成立しなかった場合はＳ７０７でリターンする。交信が成立した場合は、Ｓ７０４で図２１に示すように交信が成立した電子機器を画像データの送信先として右画面２２に表示するとともに、電子カメラ１００のユーザに送信先をタッチスクリーン６６で選択させる。Ｓ７０５で再び送信ボタン２８が操作されるのを待機し、送信ボタン２８が操作された場合にはＳ７０６で選択された送信先に近距離無線交信により画像データのアップロード情報を送信し、Ｓ７０７でリターンする。
【００５０】
図２２は上記送信割込み処理の際の電子カメラと電子機器（携帯電話）との間で行われる無線交信動作を説明するためのシーケンス図であって、まず電子カメラ１００側で送信する画像データが選択される。次に送信ボタン２８が操作されると、電子カメラ１００側から周囲にある電子機器に対して▲１▼探索交信の無線交信が試みられる。▲１▼探索交信では送信元を示す電子カメラ１００の識別情報が送信される。
【００５１】
この▲１▼探索交信を受信した電子機器は、これに応答してして電子カメラ１００に対し▲２▼応答を行い、送信元の電子機器の識別情報と送信先の電子カメラ識別情報を送信する。
【００５２】
▲２▼応答を受信した電子カメラ１００は、電子機器の識別情報に基づいて交信相手を確認するとともに、送信先を選択する。次に選択された画像データのアップロード情報をメモリカード７７から読み出す。再び送信ボタン２８が操作されると、電子カメラ１００は選択された送信先の電子機器を特定してアップロード情報を送信するために、▲３▼情報送信を実行する。▲３▼情報送信では、選択された送信先の電子機器の識別情報、送信元の電子カメラ１００の識別情報、アップロード情報、サムネイル画像データ等が送信される。
【００５３】
選択された送信先の電子機器は▲３▼情報送信を受信すると、アップロード情報に基づき無線電話回線によりインターネット上の画像サーバに接続し、指定された画像データをダウンロードして表示する。
【００５４】
図２３はプリント割込み処理サブルーチンの詳細フローチャートであって、Ｓ８０で起動すると、Ｓ８０１で再生モードであるかチェックし、再生モードでない場合はＳ８０７でリターンする。再生モードの場合は、Ｓ８０２で無線通信手段７１により、電子カメラ１００の周囲にあるプリンタに対して信号送信出力レベルで近距離無線交信を試みる。Ｓ８０３で交信が成立しなかった場合はＳ８０７でリターンする。交信が成立した場合は、Ｓ８０４で図２４に示すように交信が成立したプリンタを右画面２２に表示するとともに、電子カメラ１００のユーザにプリンタをタッチスクリーン６６で選択させる。Ｓ８０５で再び送信ボタン２８が操作されるのを待機し、プリントボタン２７が操作された場合にはＳ８０６で選択されたプリンタに近距離無線交信により画像データのアップロード情報とプリント指示を送信し、Ｓ８０７でリターンする。
【００５５】
図２５は上記プリント割込み処理の際の電子カメラとプリンタとの間で行われる無線交信動作を説明するためのシーケンス図であって、まず電子カメラ１００側で送信する画像データが選択される。次にプリントボタン２７が操作されると、電子カメラ１００側から周囲にあるプリンタに対して▲１▼プリンタ探索交信の無線交信が試みられる。▲１▼プリンタ探索交信では送信元を示す電子カメラ１００の識別情報と交信要求を行う電子機器の機能を示す機能識別情報（この場合はプリンタ）が送信される。
【００５６】
この▲１▼プリンタ探索交信を受信したプリンタは、これに応答して電子カメラ１００に対し▲２▼応答を行い、送信元のプリンタの識別情報と送信先の電子カメラ識別情報とプリンタ仕様情報などを送信する。
【００５７】
▲２▼応答を受信した電子カメラ１００は、プリンタの識別情報に基づいて交信相手を確認するとともに、プリンタを選択する。次に選択された画像データのアップロード情報をメモリカード７７から読み出す。再びプリンタボタン２７が操作されると、電子カメラ１００は選択されたプリンタを特定してアップロード情報を送信するために、▲３▼情報送信を実行する。▲３▼情報送信では、選択されたプリンタの識別情報、送信元の電子カメラ１００の識別情報、アップロード情報、プリント指示情報等が送信される。
【００５８】
選択されたプリンタは▲３▼情報送信を受信すると、アップロード情報に基づき無線電話回線によりインターネット上の画像サーバに接続し、指定された画像データをダウンロードし、該画像データをプリント指示情報に基づいて印刷用の画像データに変換して印刷を実行する。
【００５９】
図２６は上記プリント割込み処理の際に電子カメラとプリンタと画像サーバの間で行われる情報伝送の形態を示す概念図であって、電子カメラは撮影した画像データを無線電話回線によりインターネット上の画像サーバにアップロードする。次に電子カメラは近距離無線の交信範囲内にある電子機器（プリンタ）に近距離無線を用いて、画像データのアップロード情報（画像サーバのインターネット上のアドレス＝ＵＲＬ：Ｕｎｉｆｏｒｍ  Ｒｅｓｏｕｒｃｅ  Ｌｏｃａｔｏｒと画像サーバ上のフォルダ名と画像データのファイル名）と制御情報（プリント指示情報）を送信する。電子機器（プリンタ）は、電子カメラより近距離無線交信で受信した情報に基づき、無線電話回線によりインターネット上の画像サーバに接続し、画像サーバの所定のフォルダから前記画像データをダウンロードし、ダウンロードした画像データに対し制御情報（プリント指示情報）に基づいた動作（印刷処理）を行う。
【００６０】
図２７はダウンロード割込み処理サブルーチンの詳細フローチャートであって、Ｓ９０で起動すると、Ｓ９０１で再生モードであるかチェックし、再生モードでない場合はＳ９０５でリターンする。再生モードの場合は、Ｓ９０２で選択されているサムネイル画像データに付加されているアップロード情報データに基づいて無線電話回路７２によりインターネット上の画像サーバに接続し、選択されているサムネイル画像データに対応する画像データをダウンロードする。Ｓ９０３で図２８に示すようにダウンロードした画像データを左画面２１に再生表示する。Ｓ９０４で再びダウンロードボタン２９が操作されるのを待機し、ダウンロードボタン２９が操作された場合にはＳ９０５でリターンする。
【００６１】
図２９は電子カメラ１００内の無線通信回路７１の構成を示す説明図であって、無線通信回路７１は電磁シールドフィルム７９によりカメラ背面（撮影光軸方向と反対の方向＝撮影者の方向）と下面と上面と左右の側面を囲まれている。したがってこのような構成によれば無線通信回路７１はカメラの撮影方向に位置する被写体の所持している携帯電話１６０との交信を成立し易くできるとともに、撮影光軸方向にない被写体以外が所持している携帯電話や電子機器とは交信を成立し難くできるので、画像データの送信先を撮影した被写体が所持している携帯電話に制限することができる。図３０は無線通信回路７１の交信の指向性を示した図であり、電子カメラ１００の前面方向（光軸４０の方向）に強い指向性を持ち、背面方向の指向性は弱い。
【００６２】
上記のように図２９に示す構成により無線通信回路７１をカメラの撮影方向に強い指向性を持たせることにより、被写体の所持する電子機器と交信できる確率を高めることができる。なお指向性の調整は電磁シールドフィルム以外に、アンテナの構成により調整することも可能である。例えば小型の指向性アンテナの例が特開２０００−２７８０３７号公報などに開示されている。
【００６３】
さらに無線通信回路７１の指向性を撮影レンズの焦点距離に応じて変更するようにしてもよい。例えば焦点距離が短い場合は撮影画角がワイドになるので交信の指向性を弱めるとともに、焦点距離が長い場合は撮影画角が狭くなるので交信の指向性を高める。無線通信回路７１の指向性の調整は、電磁シールドフィルムを機械的に移動したり、指向特性が異なる複数の指向性アンテナを切換えて使用することにより達成される。このようにすれば電子カメラ１００は撮影された被写体の保持する電子機器との間で交信が成立する可能性を高めることができるとともに、被写体以外の人が所持する電子機器とは交信を成立しにくくすることができる。
【００６４】
図１に示す本発明の実施形態の概念図では、電子カメラは撮影した画像データをインターネット上の画像サーバにアップロードし、被写体が所持している電子機器（携帯電話など）は、電子カメラより近距離無線交信で受信した関連情報に基づき、インターネット上の画像サーバに接続し、画像サーバの所定のフォルダから前記画像データをダウンロードして画面に表示している。別の実施形態としては電子カメラは被写体が所持している電子機器との近距離無線交信の際に、電子機器側が指定するアップロード情報（インターネット上の画像サーバ、フォルダ、画像データのファイル名）を取得し、該アップロード情報に基づいてインターネット上の指定された画像サーバの指定されたフォルダに電子機器側が指定したファイル名を付けて撮影した画像データをアップロードし、電子機器側は自分が指定した画像サーバの指定したフォルダから指定したファイル名の画像データをダウンロードするようにしてもよい。
【００６５】
このようにすれば、被写体側は画像データを自分専用の画像サーバにダウンロードして保存する手間が省ける。
【００６６】
また画像の保存先（画像サーバとフォルダ）を電子機器側が指定し、画像データのファイル名を電子カメラが指定するようにしてもいいし、画像サーバとフォルダを電子カメラが指定し、画像データのファイル名を電子機器側が指定するようにしてもいい。
【００６７】
また図３１に示すように、電子カメラは被写体が所持している電子機器との近距離無線交信の際に、電子機器側が指定するアップロード情報（インターネット上の画像サーバ、フォルダ、画像データのファイル名）を取得するとともに、電子カメラはインターネット上の特定の画像サーバに撮影した画像データと前記電子機器側から取得したアップロード情報を送信し、該特定の画像サーバが該アップロード情報に基づき受信した画像データをインターネット上の指定された画像サーバの指定されたフォルダに指定されたファイル名を付けて配信し、電子機器側は自分が指定した画像サーバの指定したフォルダから指定したファイル名の画像データをダウンロードするようにしてもよい。
【００６８】
上記実施形態（図１、図１６）においては、画像データを撮影時点またはその直前直後に電子カメラと被写体の所持している携帯機器の間で近距離交信が行われ、携帯機器に画像データのアップロード情報が自動的に転送されるので、アップロード情報を手動で書き取るなどの特別な操作が不要になるとともに、画像データを撮影した時点で被写体となった可能性の高い人の携帯機器に対して画像データのアップロード情報を送信することができる。
【００６９】
上記実施形態（図１、図１６）においては、画像データを撮影した電子カメラと画像データを受け取る携帯電話の間で直接画像データをやりとりしないようにしたので、電子カメラが複数の携帯電話に対して、それぞれ携帯電話の画像表示仕様に応じて画像データを調整したり、それぞれの携帯電話と画像データの転送のために長時間に渡って個別に交信したりする必要がなくなり、電子カメラ側の負担を軽減することができる。
【００７０】
上記実施形態（図１、図２６、図３１）においては、無線交信により電子カメラと電子機器の間で画像データのアップロード情報をやりとりする際に近距離無線を用いているので、電子カメラの近傍に存在する被写体の所持する携帯電話やプリンタなどに限定して交信できる確率を高めるとともに、電子カメラから遠距離にある無関係な電子機器との交信を排除することができる。また撮影レンズの焦点距離に応じて無線交信の際の信号送信出力レベルを調整しているので、被写体と確実に無線交信を成立させることができるとともに、被写体以外とは無線交信が成立する可能性を少なくすることができる。
【００７１】
上記実施形態（図１、図２６、図３１）においては、無線交信により電子カメラと電子機器の間で画像データのアップロード情報をやりとりする際に近距離無線を用いているが、無線携帯電話回線より情報伝送速度が遅い近距離無線を用いることができるので、近距離無線通信回路の構成を簡単でき、電子カメラや携帯電話のコストの軽減や小型化を図ることができる。
【００７２】
上記実施形態（図１、図３１）においては、電子カメラは撮影した画像データをインターネット上の画像サーバにアップロードするだけで、各電子機器に画像データを配信する必要がないので、画像データのアップロード後にすぐに次の撮影動作を行うことができる。また各携帯電話は送信能力の高い画像サーバを利用して画像データをダウンロードするので、各電子機器が並行して同時にかつ高速に画像データをダウンロードし、ダウンロードした画像データをすぐに閲覧することができる。
【００７３】
上記実施形態（図１、図３１）においては、無線交信により電子カメラと電子機器の間で画像データのアップロード情報をやりとりする際に、画像データに対応したサムネイル画像データを電子カメラから電子機器側に送信しているので、電子機器側はサムネイル画像データを閲覧することにより、画像データの概要を画像データのダウンロードに先立って知ることができるとともに、必要に応じて画像データのダウンロード中止などの策を講ずることができる。
【００７４】
上記実施形態（図１５、図１６）においては、電子カメラは画像データの撮影時に画像データに対応したサムネイル画像データを生成するとともに、画像データをインターネット上の画像サーバにアップロードし、該アップロード情報を前記サムネイル画像データに付加して電子カメラに保存しておくので、所望の画像データを選択してすぐに画像サーバからダウンロードして利用することができる。
【００７５】
上記実施形態（図２９、図３０）においては、電磁シールドシートなどにより無線通信回路７１の無線通信の指向性を電子カメラ本体に対して被写体が存在する確率の高い方向に制限しているので、無線交信により画像データのアップロード情報を電子カメラと被写体が所持する携帯電話の間でやりとりする場合に、被写体側の携帯電話と確実に無線交信を成立させることができるとともに、被写体以外とは無線交信が成立する可能性を少なくすることができる。
【００７６】
上記実施形態（図３１）においては、画像データは最終的に被写体側が指定する画像サーバに保存されるので、被写体側で画像データを自分専用の画像サーバに保存する手間が省けるとともに、電子カメラ側は画像データを１つの画像サーバにアップロードする手間だけで済むので、画像データのアップロード後すぐに次の撮影動作を行うことができる。
（変形形態の説明）本発明は以上説明した実施形態に限定されることなく、種々の変形や変更が可能である。
【００７７】
上記実施形態（図１、図２、図２６、図３１）においては電子カメラはインターネット上にある画像サーバに画像データをアップロードし、携帯電話はこの画像サーバから画像データをダウンロードしているが、画像サーバは必ずしもインターネット上のものである必要はなく、ローカルな通信ネットワーク上の画像サーバであってもよい。例えば画像サーバをＩＥＥＥ８０２規格の無線ＬＡＮ（Ｌｏｃａｌ  Ａｒｅａ  Ｎｅｔｗｏｒｋ）上に設置し、電子カメラおよび携帯電話（電子機器）が画像サーバに無線ＬＡＮでアクセスして、画像データをアップロード、ダウンロードするようなシステムにも適用できる。
【００７８】
上記実施形態（図１、図２６、図３１）においては、電子カメラで撮影した画像データを電子カメラから被写体の所持している携帯電話やプリンタに伝送する情報伝送システムおよび情報伝送方法について述べているが、本発明は画像データの伝送に限定されたものではなく、情報送信側と情報受信側が近接している場合の一般的な情報伝送にも適用することが可能である。例えば情報送信側が録音装置であり、情報受信側が携帯電話であった場合に、録音装置が録音した音声データをインターネット上の音声サーバを介して携帯電話側に伝送する場合などにも適用することができる。
【００７９】
上記実施形態（図１、図２６）においては、電子カメラはインターネット上にある画像サーバに画像データをアップロードし、携帯電話（電子機器）はこの画像サーバから画像データをダウンロードしているが、画像サーバから画像データをダウンロードできる相手先を限定するために、電子カメラは電子機器との交信により得た電子機器の識別情報を画像データとともに画像サーバに送り、画像サーバでは該識別情報に対応した電子機器のみからの要求に基づき、該画像データのダウンロードを許可するようにしてもよい。このようにすれば、画像サーバからむやみに画像データがダウンロードされることを防止でき、プライバシーを守ることができる。
【００８０】
上記実施形態（図１、図２６）においては、電子カメラはインターネット上にある画像サーバに画像データをアップロードし、携帯電話はこの画像サーバから画像データをダウンロードしているが、携帯電話は電子カメラから受け取ったアップロード情報を他の電子機器（例えば被写体が保有しているパソコン）に転送し、その電子機器から前記画像サーバにアクセスして画像データをダウンロードするようにしてもよい。このようにすれば、携帯電話の画面よりも大きな画面で画像データを閲覧できるとともに、画像データを保存するためのメモリ容量も充分確保することができる。
【００８１】
上記実施形態（図１、図２６）においては、電子カメラはインターネット上にある画像サーバに画像データをアップロードし、携帯電話（電子機器）はこの画像サーバから画像データをダウンロードしているが、電子カメラは電子機器との交信により得た電子機器の識別情報を画像データとともに画像サーバに送り、画像サーバでは該識別情報に応じて画像データを識別情報に対応した電子機器に送信要求を出して送信（プッシュ型の情報伝送）するようにしてもよい。この場合、電子カメラと電子機器の間で画像データのアップロード情報をやりとりする必要なくなる。このようにすれば、特定の電子機器にのみ画像データを送信（プッシュ）するので、プライバシーを守ることができるとともに、画像データを受け取る側は画像データを読み出しに行く手間を省くことができる。
【００８２】
上記実施形態（図１、図２６）においては、電子カメラと携帯電話（電子機器）の間で画像データのアップロード情報（画像サーバの宛先情報、画像データの識別情報）をやりとりし、電子カメラはインターネット上にある画像サーバに画像データをアップロードし、携帯電話（電子機器）はこの画像サーバから画像データをダウンロードしているが、例えばテーマパークのような広い敷地内において、複数の撮影ポイントに電子カメラを設置しておき、お客さんは所望の撮影ポイントで撮影してもらい、撮影された画像データを画像サーバからダウンロードするような画像サービスシステムを提供するような場合には、電子カメラがお客さんの所持している携帯電話と交信する通信手段を内蔵している必要はなく、電子カメラとは別途設置された通信手段が電子カメラとペアになっており、電子カメラで撮影した画像データを所定の画像サーバに所定の識別情報を付けて保存するとともに、画像サーバの宛先情報と画像データの識別情報を通信手段によりお客さんの携帯電話に送信するようにしてもよい。また撮影時にお客さんが所定の位置で撮影されるように限定しておけば、電子カメラとは別体となった通信手段をお客さんの近傍に設置でき、交信出力を低下させることができるので、被写体となるお客さんの携帯電話以外との混信をふせぐことができる。
【００８３】
また上記のようにテーマパークなどで上記のような画像サービスを実施する場合には、入場時にお客さんに本発明による画像伝送システム専用の電子機器を持たせることにより、他の電子機器との混信を防ぎ、確実に被写体となったお客さんに画像データを伝送することができる。このように撮影側と画像受信側と画像サーバが固定となった画像伝送システムでは、画像サーバの宛先情報を画像受信側に知らせる必要はなく、画像受信側には画像データの識別情報を知らせるだけでよい。この場合画像サーバの宛先情報は電子カメラと通信手段と専用の電子機器の内部に固定記憶される。
【００８４】
また逆にお客さんの所持する専用の電子機器から、その電子機器の識別情報を前記通信手段に送り、該電子機器の識別情報を画像データに付加して画像サーバに保存しておくことにより、画像データの識別情報をお客さんの所持する専用の電子機器に送信する必要もなくなる。即ち撮影時に専用の電子機器から該電子機器の識別情報が撮影側に送られ、該識別情報を画像データに付加して画像サーバに保存する。画像サーバはお客さんの所持する専用の電子機器からアクセスされた場合に、該電子機器の識別情報に応じた画像データを該電子機器にダウンロードすればよい。あるいは画像サーバ側から強制的に画像データを該画像データに付加された識別情報に対応した専用の電子機器に送りつけるようにしてもよい。このようにすれば、画像データの撮影側と画像データの受信側との間の交信のデータ量や情報の種類を少なくできるとともに、専用の電子機器を利用して交信を行うので、他の電子機器との混信を防止でき、交信の信頼性を向上させることができる。
【００８５】
上記実施形態（図１、図２６）においては、電子カメラと携帯電話（電子機器）の間で画像データのアップロード情報（画像サーバの宛先情報、画像データの識別情報）をやりとりし、電子カメラはアップロード情報に基づきインターネット上にある画像サーバに画像データをアップロードし、携帯電話（電子機器）はアップロード情報に基づきこの画像サーバから画像データをダウンロードしているが、アップロード情報は画像データの識別情報を含まずに、画像サーバの宛先情報だけでもかまわない。この場合携帯電話は画像サーバの宛先情報に基づいて画像データがアップロードされた画像サーバに接続し、接続した後に撮影データ等に基づいて手動または自動で所望の画像データを検索し、検索された画像データを画像サーバからダウンロードする。このようにすれば、携帯電話側は画像データ毎の識別情報を記憶する必要がなくなるので、記憶容量の少ない記憶手段を使用することができる。
【００８６】
上記実施形態（図１）においては、撮影時に電子カメラと携帯電話（電子機器）の間で画像データのアップロード情報（画像サーバの宛先情報、画像データの識別情報）をやりとりし、電子カメラはインターネット上にある画像サーバに画像データをアップロードし、携帯電話（電子機器）はこの画像サーバから画像データをダウンロードしているが、撮影時に電子カメラは画像サーバの宛先情報を携帯電話に送信するとともに、携帯電話の識別情報（電話番号など）を携帯電話より受け取り、該携帯電話の識別情報に基づいて画像データの識別情報を生成し、画像データに生成した識別情報を付加して画像サーバにアップロードしておき、被写体側の携帯電話から画像サーバにアクセスする際に、携帯電話の識別情報を画像サーバに伝えることにより、該携帯電話の識別情報に関連した識別情報が付加された画像データを携帯電話側にダウンロードするようにしてもよい。また電子カメラは画像データの識別情報を生成する際に、携帯電話の識別情報だけでなく、他の撮影情報（例えば撮影日時情報）と組み合わせて画像データの識別情報（画像データのファイル名など）を生成してもよい。
【００８７】
このようにすれば、携帯電話側は画像データ毎に画像データの識別情報を記憶しておく必要がなく、自分自身の電話番号を画像サーバに伝送するだけで、該携帯電話を所持している被写体の写っている画像データを全てダウンロードすることができる。
【００８８】
また携帯電話が撮影日時を指定して画像サーバにアクセスすることにより、該携帯電話を所持している被写体が指定した撮影日時に撮影された画像データを選択したダウンロードすることができる。さらに画像サーバ側で画像データ毎にダウンロードの履歴（ダウンロード先の携帯電話番号とダウンロード日時等）をとっておくことにより、携帯電話が履歴指定をして画像サーバにアクセスすることにより、未ダウンロードの画像データとか一定期間ダウンロードされていない画像データ等を選択してダウンロードすることができる。
【００８９】
このようにすれば、携帯電話側に画像データ毎の識別情報を記憶することなく、特定の画像データのみをダウンロードすることが可能になる。
【００９０】
上記実施形態（図１）においては無線（電波）により電子カメラと被写体の保持する電子機器が交信を行うことで画像データのアップロード情報をやりとりしているが、真の被写体以外の人が所持している電子機器とむやみに交信を成立させないために、平均的な受信性能を電子機器が備えていることを想定し、無線送信信号の出力レベルを所定値以内に限定して交信可能な距離範囲を制限しておくのが望ましい。電子カメラの使われ方や電子カメラと電子機器との間の電波遮蔽物の有無や電子機器の受信機の性能などを考慮して前記距離範囲は決定されるが、通常の撮影レンズの焦点距離においては１０ｍ程度以内がよい。
【００９１】
上記実施形態（図１、図２６、図３１）においては無線通信回路は例えばブルーツースのような近距離無線により交信を行っているとしたが、ブルーツース以外でも無線ＬＡＮ（ＩＥＥＥ８０２．１１）や赤外線光通信（ＩｒＤＡ）により近距離無線交信を行うようにしてもよいし、複数の近距離無線方式を同時に使用して交信を行っても良い。このようにすれば被写体が保持している電子機器がどのような近距離無線機能を持っていっても、電子カメラ側と無線交信を行うことができる。
【００９２】
上記実施形態（図１、図２６、図３１）においては無線（電波）により電子カメラと被写体の所持する電子機器が交信を行うことで画像データのアップロード情報のやりとりを行っているが、これ以外の方法で非接触方式または接触方式で画像データのアップロード情報のやりとりを行ってもいい。
【００９３】
上記実施形態（図１、図２６、図３１）においては、電子カメラは近距離無線により画像データのアップロード情報のやりとりを行うために電子カメラの周囲にある電子機器と無線交信を試みるが、電子カメラの撮影者の所持している電子機器とは予め無線交信を行わないように設定しておいてもよい。
【００９４】
上記実施形態（図１、図２６）においては、電子カメラと電子機器が交信を行うことにより、電子カメラからアップロード情報を入手した電子機器が、該アップロード情報に基づき画像データがアップロードされた画像サーバにアクセスし、所望の画像データを該画像サーバからダウンロードするが、電子カメラと電子機器との交信において、電子カメラが電子機器の識別情報を取得し、該電子機器が画像サーバへアクセスするのに先立って、前記電子カメラから前記画像サーバに前記電子機器の識別情報を伝えておき、画像サーバは電子カメラから受信した識別情報に対応した電子機器に限定して所定の条件で画像サーバへのアクセスを許可するようにしてもよい。所定条件としては、電子カメラから電子機器の識別情報を受け取ってからの時間制限や画像データのダウンロード回数制限が考えられる。このようにすれば、電子カメラと交信しなかった電子機器により、画像サーバから画像データをダウンロードされることを防止できる。また時間制限や回数制限を行うことで、無関係な人が後になってその電子機器を用いて画像サーバから画像データをダウンロードする危険性を軽減することができる。
【００９５】
上記実施形態（図１、図２６、図３１）においては無線（電波）により電子カメラと被写体の所持する電子機器が交信を行うことで情報（画像サーバの宛先情報、画像データの識別情報、電子機器の識別情報等）のやりとりを行っているが、情報のやりとりを行う前に情報を受信する側から情報を送信する側に情報を暗号化するための公開鍵を送信し、情報を送信する側は送信する情報を該公開鍵で暗号化して送信するとともに、情報を受信した側は受信した情報を該公開鍵と対になった秘密鍵により復号するようにしてもよい。このようにすれば電子カメラと電子機器との間で交信される情報を他の電子機器に傍聴されても、情報が他に漏れる心配がない。
【００９６】
上記実施形態（図１）においては、電子カメラは撮影時に画像データのアップロード情報のやりとりを行うために電子カメラの周囲にある電子機器と無線交信を試みるが、この時無線交信（電波、赤外線）の送信信号出力レベルを被写体距離に応じて変更（被写体距離が遠いほど出力レベルを大きくする）するようにしてもよい。被写体距離は周知の距離検出装置により検出された距離や手動で設定された撮影レンズの撮影距離を用いることができる。このようにすれば被写体が保持する電子機器と高い確率で交信ができるとともに、被写体以外が保持する電子機器と交信が成立する確率を少なくすることができる。
【００９７】
上記実施形態（図２）においては、電子カメラは撮影した画像データを内蔵している無線電話回路を用いてインターネット上の画像サーバにアップロードしているが、電子カメラが近距離無線を用いて電子カメラの撮影者の所持している携帯電話に一旦画像データを送信し、撮影者の携帯電話が無線電話回線により画像データをインターネット上の画像サーバにアップロードするようにしてもよい。このようにすれば電子カメラは無線電話回路を内蔵する必要がなく、電子カメラを小型化できるとともに、消費電力やコストの点でも有利である。
【００９８】
上記実施形態（図２）においては、電子カメラは選択された画像サーバに撮影した画像データをアップロードするが、画像サーバを固定にしておいてもよい。例えば画像データのアップロード用の固定された画像サーバが用意されており、該画像サーバを利用した画像サービスと電子カメラとがセットで販売され、そのカメラで撮影した画像は全て前記画像サーバにアップロードされるようにしておけば、電子カメラの購入者は自分自身で画像サーバを準備する必要もなくなり、インターネットなどに不慣れなユーザにも扱いやすくなる。なお固定された画像サーバの宛先情報は電子カメラ内のＥＥＰＲＯＭなどの不揮発性メモリに記憶されている。
【００９９】
上記実施形態（図１５）においては、電子カメラは撮影モード時に撮影した画像データを全て画像サーバに自動的にダウンロード（ダウンロード記録モード）しているが、撮影した画像データを電子カメラに装着したメモリカードに保存記録する撮影モード（メモリカード記録モード）を設け、手動または自動で切換えるようにしてもよい。例えばメモリカード記録モードでメモリカードの残容量が少なくなった場合に自動的にダウンロード記録モードに切り換わったり、ダウンロード記録モードで無線電話回線の交信圏外に出た場合に自動的にメモリカード記録モードに切り換わるようにしてもよい。このようにすれば、撮影者はメモリカードや無線電話回線の状況を気にすることなく電子カメラで撮影を行うことが可能になる。
【０１００】
また画像データの画像データへのアップロードとメモリカードへの保存とを常時両方行い、必要に応じて一方を行わないようにするようにしてもよい。このようにすれば、画像データのバックアップを後になって取り直す必要がなくなり、画像データ保存の信頼性を増すことができる。
【０１０１】
上記実施形態（図１５、図１６）においては、電子カメラと電子機器との間で近距離無線交信により画像データのアップロード情報のやりとりを行った後に、電子カメラが画像サーバに画像データをアップロードしているが、この順番は逆でもよく、先に電子カメラが画像サーバに画像データをアップロードしてから、電子カメラと電子機器との間で近距離無線交信により画像データのアップロード情報のやりとりを行うようにしてもよい。
【０１０２】
上記実施形態（図１５、図１６）においては、撮影動作は電子カメラに備えられたレリーズボタンを操作することにより行われているが、近距離無線を用いて被写体となる人物が所持する携帯電話からリモコンで電子カメラの撮影動作を起動するようにしてもよい。このようにすれば、近距離無線回路を有効に活用できるとともに、被写体側の人物が所望するタイミングで撮影を行わせることができる。
【０１０３】
上記実施形態（図１６、図２２）においては、電子カメラと電子機器の間の近距離無線交信を行う際、電子カメラ側から交信を起動して周囲の電子機器と交信を行い、画像データのアップロード情報を電子カメラから電子機器に伝送しているが、まず被写体が所持している電子機器側から電子カメラに交信要求を出し、次に画像データのアップロード情報を電子カメラから電子機器に伝送するようにしてもよい。例えば図５に示す携帯電話１６０の操作キー１６２に対し特定の操作を行うと、携帯電話１６０側から周囲にある電子カメラに画像データのアップロード情報を要求する。このようにすれば被写体側からの起動により電子カメラと携帯電話の間の近距離無線が開始されるので、交信が不要な場合には電子カメラは撮影の度に近距離無線交信を行う必要がなく、撮影した画像データの画像サーバへのアップロード後すぐに次の撮影動作を行うことができる。
【０１０４】
上記実施形態（図１６、図２２）においては無線（電波）により電子カメラと被写体の所持する電子機器が交信を行うことで画像データのアップロード情報のやりとりを行っているが、電子機器が電子カメラから探索交信を受信した際に、被写体側の電子機器において電子カメラから交信を受けた旨を画面に表示したり、発音手段を用いて被写体となる人物に報知してもよい。
【０１０５】
このようにすれば、被写体側で電子カメラから交信を受けた旨を認知できる。また音による報知を行うことにより電子機器が表示手段を備えていない場合でも、電子カメラから交信を受けた旨を認知できるとともに、電子機器を被写体の衣服のポケットの中などに入れたままでも被写体となる人物はユーザは電子カメラから交信を受けた旨を認知できる。また被写体による認知に基づき、必要に応じてその後の交信をキャンセルして、画像データのダウンロードを拒否することもできる。
【０１０６】
上記実施形態（図１６、図２２）においては、電子カメラと被写体が保持している電子機器の間で無線交信が行われ、自動的に画像データのアップロード情報のやりとりが行われるようになっているが、電子機器が電子カメラから探索交信を受信した時に、電子機器はその探索交信を行ってきたきた電子カメラの識別番号を予め電子機器に登録されている電子カメラの識別番号と比較し、登録されていない電子カメラの場合は、その後の交信を行わないようにしてもよい。このようにすれば見知らぬ人に撮影された画像データを受け取ることを拒否することができる。
【０１０７】
上記実施形態（図１６、図２２、図２５）においては、電子カメラと電子機器の間で無線交信により画像データのアップロード情報のやりとりが行われるようになっているが、電子カメラから電子機器に画像データの仕様（データ量、記録方式、画像の縦横比、画素数など）を送信し、電子機器側では受信した画像データの仕様に基づきその画像データの用途に応じてその画像データをダウンロードするか否かを判別するようにしてもよい。例えば携帯電話の画面で表示して閲覧するだけの画像データであれば、データ量や画素数の少ない画像データを選んでダウンロードすることができる。
【０１０８】
上記実施形態（図１６）においては、撮影時に電子カメラと被写体が保持している電子機器の間で無線交信が行われ、自動的に画像データのアップロード情報のやりとりが行われるようになっているが、撮影した画像データを一時的にＲＡＭやメモリカードなどに保存しておき、一連の撮影終了後に一連の画像データの画像サーバへのアップロードと、電子カメラと被写体が保持している電子機器の間での無線交信による画像データのアップロード情報のやりとりが行われるようにしてもよい。このようにすれば、同じ構図で何枚か撮影するような場合（露出ブラケット撮影など）には撮影の度に画像データのアップロードと無線交信を行う必要がなく、一連の撮影がすばやくできるとともに、撮影終了後などに自動または手動によって、複数の画像データのアップロードと無線交信で複数の画像データに対するアップロード情報のやりとりを一回で行うことができる。
【０１０９】
上記実施形態（図１６）においては、１回の撮影毎に常に画像データの画像サーバへのアップロードと電子カメラと被写体が保持している電子機器の間での無線交信が行われるようになっているが、画像データのアップロードと無線交信のために撮影動作に遅延が生じてしまうような場合には、画像データのアップロード操作と無線交信動作を禁止するようにしてもよい。例えば連続撮影（連写）を行う場合には、画像データのアップロード動作と無線交信動作を自動的に禁止するようにすれば、画像データのアップロード動作と無線交信動作のために連続撮影のコマ間が長くなってしまうことを防止できる。この場合には連続撮影した画像データは一時的にＲＡＭやメモリカードなどに保存しておき、一連の撮影終了後に一連の画像データの画像サーバへのアップロードと、電子カメラと被写体が保持している電子機器の間での無線交信による画像データのアップロード情報のやりとりが自動的または手動で起動して行われる。
【０１１０】
上記実施形態（図２５）においては、プリントすべき画像データのアップロード情報とプリント指示情報がプリントボタン操作時に電子カメラからプリンタに送信されるが、プリント指示情報の中にプリンタに対する各種設定情報（プリントサイズ、プリント品質、印刷色など）を含むことができる。
【０１１１】
上記実施形態（図２５）においては、プリントすべき画像データのアップロード情報とプリント指示情報がプリントボタン操作時に電子カメラからプリンタに送信されるが、プリントボタン操作時に電子カメラがプリンタよりプリンタのネットワーク上の識別情報（ＩＰアドレス）を取得し、該識別情報を画像サーバに送信するとともに、画像サーバからプリントしたい画像データを該識別情報に対応したプリンタに送信させるようにしてもよい。このようにすれば、電子カメラ側に画像データを記憶しておく必要がないとともに、プリントしたい画像データを迅速にプリンタに伝送し、プリントを行うことができる。
【０１１２】
【発明の効果】
以上説明したように、本発明による情報伝送システム（画像伝送システム）および情報伝送方法（画像伝送方法）においては、情報（画像）送信側と情報（画像）受信側の間で近距離交信によりインターネット上の情報サーバ（画像サーバ）への情報（画像）のアップロードに関する情報（宛先情報）をやりとりし、情報（画像）送信側から情報（画像）をインターネット上の情報サーバに一旦アップロードするとともに、情報（画像）受信側は情報（画像）がアップロードされたインターネット上の情報サーバ（画像サーバ）から情報（画像）をダウンロードして利用するようにしたので、情報（画像）伝送の際に情報（画像）送信側の負担が少なくかつ情報（画像）が短時間で情報（画像）受信側に伝送される情報伝送システム（画像伝送システム）および情報伝送方法（画像伝送方法）を提供することができる。
【０１１３】
特にデータ量が多い画像データを取り扱う電子カメラシステムでは、電子カメラで集合写真を撮影し、撮影した画像データを被写体となった複数の人達の所持している携帯電話等に配信する場合であっても、電子カメラは携帯電話との近距離交信によりアップロード情報を各携帯電話に送信する処理と画像データをインターネット上の画像サーバにアップロードする処理のみなので、電子カメラが各携帯電話毎に近距離交信で画像データを送信する負担を軽減できるとともに携帯電話側でも迅速に所望の画像データを入手することができる。
【図面の簡単な説明】
【図１】本発明の実施形態の概念を示す説明図である。
【図２】本発明の実施形態のシステム構成を示す説明図である。
【図３】電子カメラの外観図（正面視）である。
【図４】電子カメラの外観図（背面視）である。
【図５】携帯電話端末の外観図（正面視）である。
【図６】電子カメラの電気構成を示すブロック図である。
【図７】携帯電話端末の電気構成を示すブロック図である。
【図８】アップロードダイヤル番号と画像サーバの対応図である。
【図９】メモリカードのデータの構成図である。
【図１０】撮影情報データの構成図である。
【図１１】電子カメラの動作状態遷移図である。
【図１２】メインプログラムのフローチャートである。
【図１３】サブルーチンのフローチャートである。
【図１４】画面の表示例である。
【図１５】サブルーチンのフローチャートである。
【図１６】交信シーケンスの説明図である。
【図１７】サブルーチンのフローチャートである。
【図１８】サブルーチンのフローチャートである。
【図１９】画面の表示例である。
【図２０】サブルーチンのフローチャートである。
【図２１】画面の表示例である。
【図２２】交信シーケンスの説明図である。
【図２３】サブルーチンのフローチャートである。
【図２４】画面の表示例である。
【図２５】交信シーケンスの説明図である。
【図２６】本発明の実施形態の概念を示す説明図である。
【図２７】サブルーチンのフローチャートである。
【図２８】画面の表示例である。
【図２９】無線回路の構成の説明図である。
【図３０】交信指向性の説明図である。
【図３１】本発明の実施形態の概念を示す説明図である。
【符号の説明】
１０  撮影レンズ
１６  レリーズボタン
１７  電源スイッチ
１９  モードダイヤル
２１  左ＬＣＤ（左画面）
２２  右ＬＣＤ（右画面）
２３  上方向ボタン
２４  下方向ボタン
２５  撮影モードボタン
２６  再生モードボタン
２７  プリントボタン
２８  送信ボタン
２９  ダウンロードボタン
５０  ＣＰＵ
５１  データ／制御バス
５５  ＣＣＤ
６０  撮影制御回路
６３  電源
６５  操作キー
６６  タッチスクリーン
７１  無線通信回路
７２  無線電話回路
７７  メモリカード
１００  電子カメラ
１３０  インターネット
１５０  画像サーバ
１５１  ＣＰＵ
１６０  携帯電話
１７０  ＵＩＭカード
【図１】
0004114350.tif 000002
【図２】
0004114350.tif 000003
【図３】
0004114350.tif 000004
【図４】
0004114350.tif 000005
【図５】
0004114350.tif 000006
【図６】
0004114350.tif 000007
【図７】
0004114350.tif 000008
【図８】
0004114350.tif 000009
【図９】
0004114350.tif 000010
【図１０】
0004114350.tif 000011
【図１１】
0004114350.tif 000012
【図１２】
0004114350.tif 000013
【図１３】
0004114350.tif 000014
【図１４】
0004114350.tif 000015
【図１５】
0004114350.tif 000016
【図１６】
0004114350.tif 000017
【図１７】
0004114350.tif 000018
【図１８】
0004114350.tif 000019
【図１９】
0004114350.tif 000020
【図２０】
0004114350.tif 000021
【図２１】
0004114350.tif 000022
【図２２】
0004114350.tif 000023
【図２３】
0004114350.tif 000024
【図２４】
0004114350.tif 000025
【図２５】
0004114350.tif 000026
【図２６】
0004114350.tif 000027
【図２７】
0004114350.tif 000028
【図２８】
0004114350.tif 000029
【図２９】
0004114350.tif 000030
【図３０】
0004114350.tif 000031
【図３１】
0004114350.tif 000032